(57)【要約】【課題】  本発明は、ゴミを熱分解し発生する煤煙より有害物質や悪臭の除去を簡潔容易に行うことができるゴミの煤煙処理装置を提供すること。【解決手段】  本発明のゴミの煤煙処理装置１０は、投入されたセラミック粉末２７と火種２６とに重ねられたゴミ２５の熱分解を行うゴミの焼却装置２０よりの煤煙Ｋを送入し、煤煙Ｋを通過させる高温に加熱した円柱型のセラミック部１２を備えることとし、円柱型のセラミック部１２は、円芯に沿って明けられ煤煙Ｋが通過する貫通穴１２ａを設けることとした。【選択図】図１
2019076880.tif 000002
【特許請求の範囲】
【請求項１】
投入されたセラミック粉末と火種とに重ねられたゴミの熱分解を行うゴミの焼却装置よりの煤煙を送入し、前記煤煙を通過させる高温に加熱した円柱型のセラミック部を備えることを特徴とするゴミの煤煙処理装置。
【請求項２】
前記煤煙を通過させる高温に加熱した円柱型のセラミック部は、円芯に沿って明けられ、前記煤煙が通過する貫通穴を設けることとしたことを特徴とする請求項１に記載のゴミの煤煙処理装置。
【請求項３】
前記円柱型のセラミック部は、高温加熱器よりのバーナーにより加熱されることとしたことを特徴とする請求項１に記載のゴミの煤煙処理装置。
【発明の詳細な説明】
【技術分野】
【０００１】  本発明は、有機物などの廃棄物であるゴミを熱分解し、発生する煤煙より有害物質や悪臭の除去を簡潔容易に行うことができるゴミの煤煙処理装置に関する。
【背景技術】
【０００２】  従来のゴミの煤煙処理装置には、有機物などの廃棄物であるゴミを熱分解し、発生する煤煙より有害物質や悪臭を除去するものがある（例えば特許文献１参照）。
【先行技術文献】
【特許文献】
【０００３】
【特許文献１】特開２０１４−６９１８２号公報
【発明の概要】
【発明が解決しようとする課題】
【０００４】  しかしながら、従来のゴミの煤煙処理装置は、有機物などの廃棄物であるゴミを熱分解し焼却することはできるが、煤煙より有害物質や悪臭の除去は酸化物質混入水のシャワーリングや活性炭層の通過により行はれるため、発生する煤煙より有害物質や悪臭の除去が簡潔容易に行われていないと云う問題があった。
本発明は、上記に鑑みてなされたものであって、有機物などの廃棄物であるゴミを熱分解し、発生する煤煙より有害物質や悪臭の除去を簡潔容易に行うことができるゴミの煤煙処理装置を提供することを目的とする。
【課題を解決するための手段】
【０００５】  本発明のゴミの煤煙処理装置は、投入されたセラミック粉末と火種とに重ねられたゴミの熱分解を行うゴミの焼却装置よりの煤煙を送入し、前記煤煙を通過させる高温に加熱した円柱型のセラミック部を備えることとした。
また、前記煤煙を通過させる高温に加熱した円柱型のセラミック部は、円芯に沿って明けられ、前記煤煙が通過する貫通穴を設けることとした。
さらに、前記円柱型のセラミック部は、高温加熱器よりのバーナーにより加熱されることとした。
【発明の効果】
【０００６】  本発明のゴミの煤煙処理装置は、投入されたセラミック粉末と火種とに重ねられたゴミの熱分解を行うゴミの焼却装置よりの煤煙を送入し、前記煤煙を通過させる高温に加熱した円柱型のセラミック部を備えることとしたため、有害物質や悪臭を確実容易に除去することができる。
また、前記煤煙を通過させる高温に加熱した円柱型のセラミック部は、円芯に沿って明けられ、前記煤煙が通過する貫通穴を設けることとしたため、有害物質や悪臭をより確実容易に除去することができる。
さらに、前記円柱型のセラミック部は、高温加熱器よりのバーナーにより加熱されることとしたため、確実に所定の高温に加熱することができる。
【図面の簡単な説明】
【０００７】
【図１】  本発明の実施形態のゴミの煤煙処理装置の側面図を示す。
【図２】  本発明の実施形態のゴミの煤煙処理装置が接続するゴミの焼却装置の断面図を示す。
【図３】  本発明の実施形態のゴミの煤煙処理装置の断面図を示す。
【図４】  本発明の実施形態のゴミの煤煙処理装置で使用する円柱型のセラミック部の断面図を示す。
【発明を実施するための形態】
【０００８】  以下、本発明の実施形態のゴミの煤煙処理装置につき説明する。
【実施例】
【０００９】  図１は、本発明の実施形態のゴミの煤煙処理装置の側面図を示す。
図１に示すように、本発明のゴミの煤煙処理装置１０は、有機物などの廃棄物であるゴミの熱分解が行はれ、ゴミの熱分解後の煤煙を送出するゴミの焼却装置２０に接続し、ゴミの焼却装置２０よりの煤煙を排出部１９より送入し、煤煙より有害物質や悪臭の除去を行うことができる。【００１０】  ゴミの焼却装置２０は、外側の円筒形状の外周部２１にセラミック粉末と炭やコークスなどの火種を投入する投入扉２１ａが設けられ、また開閉蓋２２が明けられゴミがセラミック粉末と火種とに重ねられて投入され、外部よりの空気も送入されてゴミの焼却が行はれる。【００１１】  図２は、本発明の実施形態のゴミの煤煙処理装置が接続するゴミの焼却装置の断面図を示す。
図２に示すように、本発明のゴミの煤煙処理装置１０に接続するゴミの焼却装置２０は、セラミック粉末２７と炭やコークスなどの火種２６とが投入され、また開閉蓋２２が明けられゴミ２５がセラミック粉末２７と炭やコークスなどの火種２６とに重ねられて投入される。
ゴミ２５と火種２６とは、外側の円筒形状の外周部２１に明けられた空気送入口２３より燃焼用の空気Ｂが送入して酸素が消費され燃焼し煤煙Ｋを発生する。発生した煤煙Ｋは上昇しゴミの煤煙処理装置１０に接続する排出部２９に送出する。
煤煙Ｋには可燃性ガスが混在するが、ゴミの煤煙処理装置１０で焼却する。【００１２】  ゴミの焼却装置２０は、コイル形の加熱器２４が円筒形状の外周部２１の内側に垂直に設けられている。
コイル形の加熱器２４は、下側に形成された加熱送入管２４ａに送風ファン２８よりの加熱用の空気Ａが送出管２８ａを通り送入し、上側に形成された加熱送出管２４ｂより加熱された加熱空気ＡＥも排出部２９に送出する。
排出部２９は、コイル型の加熱器２４より送入の加熱空気ＡＥが煤煙Ｋを吸引し、煤煙Ｋと加熱空気ＡＥを共に排出する。
そのため、煤煙Ｋは、送付ファンを特に設けることもなく円滑に送出する。【００１３】  発生した煤煙Ｋは、コイル形の加熱器２４により加熱され排出部２９に送出するが、ゴミ２５の燃焼のとき発生する蒸気も加熱され、水滴になることなく排出する。【００１４】  従って、ゴミの焼却装置２０は、容易にゴミ２５を焼却処理することができ、コイル形の加熱器２４により煤煙処理が確実容易できるように煤煙を排出することができる。また、コイル形の加熱器２４を設けているため、煤煙Ｋを円滑に送出すると共に、ゴミ２５の燃焼のとき発生する蒸気が水滴になることも、タールなどの発生も防止することができる。
なを、極めて簡潔構造でゴミの焼却を行うことを優先する場合にはコイル形の加熱器２４を削除し、送風ファン２８よりの空気または加熱空気を排出部２９に送出するようにすることもできる。【００１５】  図３は、本発明の実施形態のゴミの煤煙処理装置の断面図を示す。
図３に示すように、本発明のゴミの煤煙処理装置１０は、煤煙Ｋと加熱空気ＡＥが排出する排出部２９に接続し、煤煙Ｋと空気Ｅが高温に加熱される円柱型のセラミック部１２と、円柱型のセラミック部１２で加熱後の空気Ｐが送出する送出管１３とが設けられている。
円柱型のセラミック部１２は、極めて高温の５００°Ｃ以上に高温加熱器１５よりのバーナー１５ａにより加熱され、円芯に沿って明けられた図４に示す貫通穴１２ａを煤煙Ｋと加熱空気ＡＥとが通過する。【００１６】  排出部２９は、図２に示すコイル型の加熱器２４よりの加熱空気ＡＥが送出するノズル２９ａが円筒形状の中芯に沿って設けられている。ノズル２９ａは、送入する加熱空気ＡＥを加速して送出し、加熱空気ＡＥがノズル２９ａの外周に送入する煤煙Ｋを吸引し、加熱空気ＡＥと煤煙Ｋとが混合し排出する。【００１７】  図４は、本発明の実施形態のゴミの煤煙処理装置で使用する円柱型のセラミック部の断面図を示す
図４に示すように、円柱型のセラミック部１２は、円芯に沿って明けられた貫通穴１２ａが設けられている。【００１８】  ゴミの煤煙処理装置１０は、送入した煤煙Ｋと加熱空気ＡＥとが極めて高温の５００°Ｃ以上に加熱された円柱型のセラミック部１２を通過し、有害物質や悪臭が除去される。【００１９】  以上述べたように、ゴミの煤煙処理装置１０は、ゴミの焼却装置２０で発生する煤煙Ｋより有害物質や悪臭の除去を簡潔容易に行うことができる。
なお、円柱型のセラミック部１２より送出の気体Ｐは高温であり、暖房機やボイラーなどに利用することもできる。
【産業上の利用可能性】
【００２０】  本発明のゴミの煤煙処理装置は、家庭や工場などで使用するゴミの焼却装置で発生する煤煙の処理に幅広く利用することができる。
【符号の説明】
【００２１】  １０  ゴミの煤煙処理装置
１２  セラミック部
１５  高温加熱器
２０  ゴミの焼却装置
２４  コイル形の加熱器
２５  ゴミ
２６  火種
２７  セラミック粉末
２８  送風ファン
【図１】
2019076880.tif 000003
【図２】
2019076880.tif 000004
【図３】
2019076880.tif 000005
【図４】
2019076880.tif 000006